(57)【要約】【課題】模様等をプリントしてコストアップをまねくことなく容器本体の装飾性を高めることができて商品の売り上げアップに寄与できる商品の包装容器を提供する。【解決手段】軟質プラスチックシート製の前胴部２と後胴部３を有して、その上辺部に開口４を設けるとともに、他の周辺部を閉じて袋状となした容器本体１を形成し、その前胴部２及び後胴部３の双方又は一方に、その外面側へ隆起するレリーフ状の装飾部７を設けたことを特徴とする。【選択図】　　　　図１
2004123158.tif 000002
【特許請求の範囲】
【請求項１】
軟質プラスチックシート製の前胴部２と後胴部３を有して、その上辺部に開口４を設けるとともに、他の周辺部を閉じて袋状となした容器本体１を形成し、その前胴部２及び後胴部３の双方又は一方に、その外面側へ隆起するレリーフ状の装飾部７を設けたことを特徴とする商品の包装容器。
【請求項２】
レリーフ状の装飾部７の一部にスリガラス状地模様部８を設けた請求項１記載の商品の包装容器。
【請求項３】
容器本体１の上辺部の開口４を閉じる手段として、前胴部２及び後胴部３の一方の内面部に凹部５を設けるとともに、他方の内面部において凹部５と対向する位置に、その凹部５と嵌合して容器本体１の開口４を閉じた状態を維持できる凸部６を設けた請求項１又は請求項２記載の商品の包装容器。
【発明の詳細な説明】
【０００１】
【発明の属する技術分野】
本発明は、化粧品等の商品を入れる包装容器に関する。
【０００２】
【従来の技術】
商品を入れる包装容器のデザインは、その商品の売り上げに影響を与えることが多い。すなわち、包装容器のデザインが消費者に好まれれば売り上げ増につながることが多い。しかしながら、従来の包装容器は、その外観に何ら装飾を施されておらず、デザイン的に消費者に訴えるものがなかった。しかしながら、模様等をプリントして装飾を施すと、工程数が増えてコストアップをまねくという問題がある。
【０００３】
【発明が解決しようとする課題】
そこで本発明は、模様等をプリントしてコストアップをまねくことなく容器本体の装飾性を高めることができて商品の売り上げアップに寄与できる商品包装容器の提供を課題とする。
【０００４】
【課題を解決するための手段】
上記課題を解決するために、本発明の商品の包装容器は、軟質プラスチックシート製の前胴部２と後胴部３を有して、その上辺部に開口４を設けるとともに、他の周辺部を閉じて袋状となした容器本体１を形成し、その前胴部２及び後胴部３の双方又は一方に、その外面側へ隆起するレリーフ状の装飾部７を設けたことを特徴とする、という構成にしたものである。
【０００５】
また、本発明の商品の包装容器は、装飾性をさらに高めるために、レリーフ状の装飾部７の一部にスリガラス状地模様部８を設けた構成にすることができる。
【０００６】
また、本発明の商品の包装容器は、容器本体１の上辺部の開口４を閉じる手段として、前胴部２及び後胴部３の一方の内面部に凹部５を設けるとともに、他方の内面部において凹部５と対向する位置に、その凹部５と嵌合して容器本体１の開口４を閉じた状態を維持できる凸部６を設けた構成にすることもできる。
【０００７】
【発明の実施の形態】
以下、図を用いて本発明の実施の形態について説明する。なお、図１及び図２は第１実施例を、図３ないし図５は第２実施例を、図６は第３実施例を、図７は第４実施例を、図８は第５実施例をそれぞれ示したものである。まず、容器本体１は、全体が変形容易な軟質で、かつ、適度な腰の強さを有するプラスチックシートを材料として成形している。なお、プラスチックは焼却しても有毒ガスを発生しないポリオレフィン系のもの、例えばポリプロピレンやポリエチレン等の使用が好ましい。そして、この容器本体１は前胴部２と後胴部３を有し、その上辺部に開口４を設けて、その他の周辺部を閉じた袋状構造にしている。
【０００８】
容器本体１における前胴部２と後胴部３の双方又は一方には、任意の図形を外面側へ隆起させるように表示して、レリーフ状の装飾部７を設けている。なお、この図形には絵、模様、文字、記号等を含むものとする。また、レリーフ状の装飾部７のデザインは自由である。このレリーフ状の装飾部７は、金型を用いたプレス加工によって形成することができる。
【０００９】
レリーフ状の装飾部７は、その図形の一部にスリガラス状地模様部８を設けることができる。このスリガラス状地模様部８は上記のレリーフ状の装飾部７を成形するときに用いる金型により形成することができる。すなわち、金型においてスリガラス状地模様部８を形成する部位に微小な凹凸を設けておけば、レリーフ状の装飾部７とを同時に成形することができる。
【００１０】
袋状の容器本体１には商品を入れて、その上辺部の開口４を閉じる必要がある。その閉口手段として、第１実施例や第２実施例のように、前胴部２又は後胴部３の一方の内面部に、その上辺部に沿って凹部５を設けるとともに、他方の内面部において凹部５と対向する位置に、その凹部５と嵌合して、摩擦又は係止により、その嵌合状態を維持可能な凸部６を設けることができる。
【００１１】
上記の凹部５と凸部６の形状は自由であり、例えば第１実施例（図１参照）のように、直線棒状の凹部５と凸部６を容器本体１の上辺部に沿って設けたり、又は、第２実施例（図３参照）のように、円形の凹部５と凸部６を上辺部に沿って複数個所に設けることができる。
【００１２】
上記の凹部５と凸部６は、上記のレリーフ状の装飾部７を形成する金型を用いて、レリーフ状の装飾部７と同時に形成することができる。
【００１３】
袋状の容器本体１における上辺部の開口４を閉じる他の手段としては、第３実施例（図６参照）のようにチャック９を用いることができる。また、第４実施例（図７参照）のように、開口４を覆う蓋１０を設けて、その蓋１０を面ファスナ１１で留めることもできる。また、第５実施例（図８参照）のように、同じく、開口４を覆う蓋１０を設けて、その蓋１０をボタン１２で留めることもできる
【００１４】
なお、容器本体１は、中身の商品を外から目視できるように、前胴部２及び後胴部３を透明にすることができる。
【００１５】
【発明の効果】
請求項１記載の本発明の商品包装容器は、容器本体１の前胴部２及び／又は後胴部３にレリーフ状の装飾部７を設けることにより、容器本体１にデザイン的な興趣が生じるので、消費者の興味を惹きやすくなり、その商品の売り上げアップにつながるというメリットがある。また、このレリーフ状の装飾部７は、金型で成形できるので、模様等を印刷するような手間がかからず、コストアップを避けることができる。
【００１６】
請求項２記載の本発明の商品包装容器は、レリーフ状の装飾部７の一部にスリガラス状地模様部８を設けたので、その装飾性を高めることができる。また、このスリガラス状地模様部８は、上記のレリーフ状の装飾部７を成形する金型でレリーフ状の装飾部７と同時に成形できるので、別工程が不要でコストアップを避けることができる。
【００１７】
また、容器本体１の開口４を閉じる手段としては、上記実施例のように、チャック９、面ファスナ１１、ボタン１２などを用いることができるが、特に、請求項３記載のように、凹部５と凸部６とを嵌合させて閉じるようにすれば、その凹部５と凸部６は上記のレリーフ状の装飾部７を形成する金型を用いてレリーフ状の装飾部７と同時に形成することができるので、別部品が不要でコストダウンが可能になるというメリットがある。
【図面の簡単な説明】
【図１】第１実施例の正面図である。
【図２】図１のＡ−Ａ線断面図である。
【図３】第２実施例の正面図である。
【図４】図３のＢ−Ｂ線断面図である。
【図５】図３のＣ−Ｃ線断面図である。
【図６】第３実施例の正面図である。
【図７】第４実施例の正面図である。
【図８】第５実施例の正面図である。
【符号の説明】
１　容器本体
２　前胴部
３　後胴部
４　開口
５　凹部
６　凸部
７　レリーフ状の装飾部
８　スリガラス状地模様部
９　チャック
１０　蓋
１１　面ファスナ
１２　ボタン
【図１】
2004123158.tif 000003
【図２】
2004123158.tif 000004
【図３】
2004123158.tif 000005
【図４】
2004123158.tif 000006
【図５】
2004123158.tif 000007
【図６】
2004123158.tif 000008
【図７】
2004123158.tif 000009
【図８】
2004123158.tif 000010